(57)【要約】      （修正有）【課題】ディスクカートリッジにおけるロータリシャッタの回転移動をスムーズに行う。【解決手段】ロータリシャッタ７（７Ｕ，７Ｄ）の回転可能に保持する回転保持部を上シェル３側に設けるとともに、上シャッタ部材７Ｕと下シャッタ部材７Ｄとを側壁７Ｃにおいて接合する。回転保持部は上シェル３から上シャッタ部材７Ｕに突出した円筒体３ａと、円筒体３ａの先端部設けられたセンタピンと呼ばれる抜け止め部材１１で構成される。【選択図】  図３
2004273034.tif 000002
【特許請求の範囲】
【請求項１】
上下シェルを備えた扁平なハウジング内に、中心部がセンタコアに固定されたディスク状の情報記録媒体を回転自在に収容してなるディスクカートリッジであって、前記ハウジングが、ドライブ装置が備えている記録再生ヘッドを前記情報記録媒体の表面にアクセスさせるための開口部と、該開口部を開閉するロータリーシャッタとを備えたディスクカートリッジにおいて、
前記ハウジングが、前記上シェル側のみに前記ロータリシャッタを回転可能に保持する回転保持部を有し、
前記ロータリーシャッタが、
前記回転保持部に回転可能に保持された上シャッタ部材と、
該上シャッタ部材に側壁において接合されている下シャッタ部材と
を備えたものであることを特徴とするディスクカートリッジ。
【請求項２】
前記下シェルが、前記センタコアを外部に臨ませるための略円形状の中心孔を有し、前記下シャッタ部材が、該中心孔に挿入される単純円筒部を有するものであることを特徴とする請求項１に記載のディスクカートリッジ。
【発明の詳細な説明】
【０００１】
【発明の属する技術分野】
本発明は、上下シェルによって構成された扁平なハウジング内に、情報記録媒体を回転自在に収容したディスクカートリッジに関し、特にハウジングに形成された記録再生ヘッドアクセス用の開口部を開閉するロータリーシャッタの軸支構造に関するものである。
【０００２】
【従来の技術】
従来、デジタルカメラ等のモバイル機器においては、記録媒体として例えば「ｃｌｉｋ！（登録商標）」と呼ばれる超小型の磁気ディスクカートリッジが使用されている（たとえば特許文献１、２、非特許文献１参照）。
【０００３】
図４は従来の「ｃｌｉｋ！（登録商標）」と呼ばれる超小型の磁気ディスクカートリッジの一例を示す。図４のディスクカートリッジ１は、たとえば幅５０ｍｍ、奥行き５５ｍｍ、厚さ１．９５ｍｍの扁平な金属薄板からなる上下シェル３、４を備えたハウジング内に、４０ＭＢの記憶容量を有する直径約１．８インチ（４６．５ｍｍ）のディスク状の情報記録媒体（磁気ディスク）５を回転自在に収容したものである。この上シェル３と下シェル４には、図示しないディスクドライブが磁気ディスクにアクセスするための開口が設けられており、下シェル４の中心部には、情報記録媒体５の中心に設けられたセンタコア１０を外部に臨ませるための中心孔４ａが形成されている。また、上下シェル３、４内には開口を開閉するためのロータリシャッタ７が設けられている。
【０００４】
このロータリシャッタ７は、上シャッタ部材７Ｕと下シャッタ部材７Ｄとからなっている。上シャッタ部材７Ｕは上シェル３に形成された円筒体３ａによって回転可能に軸支されている。円筒体３ａの先端には上シャッタ部材７Ｕの円筒体３ａからの抜出しを防止するためのセンタピンと呼ばれる抜止め部材１１が溶接により固定されている。
【０００５】
一方、下シャッタ部材７Ｄには中心孔４ａの周囲に下方に向かって突出した大径の円筒部７Ｄａが設けられている。そして、円筒部７Ｄａが下シェル４の中心孔４ａに挿入された後、円筒部７Ｄａの先端部がカシメ加工が施されることにより抜け止め用のカシメ部１２が形成されて、下シャッタ部材７Ｄが回転可能に軸支されている。
【０００６】
この上シャッタ部材７Ｕと下シャッタ部材７Ｄとは接合されておらず、互いに係合した状態にある。具体的には、上シャッタ部材７Ｕの側壁７Ｂには下シャッタ部材７Ｄ側に突出した凸部が形成されており、下シャッタ部材７Ｄの側壁７Ｂには凸部に係合する凹部が形成されている。そして、ディスクドライブから下シャッタ部材７Ｄに回転する力が加わったとき、上シャッタ部材７Ｕも一体的に移動して回転移動するようになっている。
【０００７】
【特許文献１】
米国特許６１３３５４号公報
【０００８】
【特許文献２】
米国特許５９９５３４６号公報
【０００９】
【非特許文献１】
大島篤著「パソコン解体新書」、ソフトバンクパブリッシング株式会社、２０００年４月１０日発行（Ｐ５２−５３）
【００１０】
【発明が解決しようとする課題】
このように、下シャッタ部材７Ｄは下シェル４に対してカシメ加工により回転可能に保持されているため、下シャッタ部材７Ｄが下シェル４に対して回転移動する際に下シェル４が下シャッタ部材７Ｄのカシメ部１２に摺動し、この摺動抵抗によりロータリシャッタ７の開閉が重くなってしまうという問題がある。
【００１１】
また、ロータリシャッタ７の開閉を繰り返すと、下シャッタ部材７Ｄのカシメ部分から摩擦による摩耗粉が発生することがある。この摩耗粉はロータリシャッタ７の開閉動作をする際の抵抗となり、開閉動作をスムーズに行うことができなくなってしまうという問題がある。
【００１２】
そこで、本発明は、ロータリシャッタの回転移動をスムーズに行うことができるディスクカートリッジを提供することを目的とするものである。
【００１３】
【課題を解決するための手段】
本発明は、上下シェルを備えた扁平なハウジング内に、中心部がセンタコアに固定されたディスク状の情報記録媒体を回転自在に収容してなるディスクカートリッジであって、前記ハウジングが、ドライブ装置が備えている記録再生ヘッドを前記情報記録媒体の表面にアクセスさせるための開口部と、該開口部を開閉するロータリーシャッタとを備えたディスクカートリッジにおいて、前記ハウジングが、前記上シェル側のみに前記ロータリシャッタを回転可能に保持する回転保持部を有し、前記ロータリーシャッタが、前記回転保持部に回転可能に保持された上シャッタ部材と、該上シャッタ部材に側壁において接合されている下シャッタ部材とを備えたものであることを特徴とするものである。
【００１４】
ここで、上シャッタ部材と下シャッタ部材との接合は、上シャッタ部材と下シャッタ部材とが接触している側壁の全周にわたって接合するようにしてもよいし、上シャッタ部材と下シャッタ部材とが接触している側壁を部分的に接合するようにしてもよい。
【００１５】
また、下シェルは、センタコアを外部に臨ませるための略円形状の中心孔を有し、下シャッタ部材は、中心孔に挿入される単純円筒部を有するものであってもよい。
【００１６】
なお、単純円筒部は、円筒部の先端にカシメ加工によるカシメ部が形成されていないものをいう。
【００１７】
【発明の効果】
本発明のディスクカートリッジによれば、上シェル側のみにロータリシャッタを回転可能に保持する回転保持部を設け、ロータリシャッタが上シャッタ部材と下シャッタ部材とを接合して構成されることにより、従来のように下シャッタ部材を回転保持するために下シャッタ部材を下シェルにカシメる構造が不要となるため、カシメ部分により生じていた摺動抵抗がなくなり、ロータリシャッタの回転移動をスムーズに行うことができる。
【００１８】
また、下シャッタ部材と下シェルとの間においてカシメ部が不要となるため、カシメ部において摺動することにより発生していた摩耗粉が発生しなくなり、情報記録媒体に摩耗粉が付着するのを防止することができる。
【００１９】
なお、下シェルが、センタコアを外部に臨ませるための略円形状の中心孔を有し、下シャッタ部材が、中心孔に挿入される円筒部を有する構成にすれば、上シャッタ部材側において回転保持部が回転移動のガイドを行うとともに、下シャッタ部材側において円筒部と中心孔とが回転移動をガイドするようになるため、ロータリシャッタが回転移動する際のぶれを低減することができる。
【００２０】
【発明の実施の形態】
以下、本発明のディスクカートリッジの実施の形態について、図面を参照して詳細に説明する。図１と図２は、本発明のディスクカートリッジの好ましい実施の形態を示す平面図である。なお、図１（ａ）、（ｂ）、（ｃ）にそのロータリーシャッタ７が閉状態にある平面図、側面図および底面図を、図２（ａ）、（ｂ）にロータリーシャッタ７が開状態にある平面図および底面図をそれぞれ示している。
【００２１】
このディスクカートリッジ１は、たとえば指等によりディスクカートリッジ１をディスクドライブに押し込むための押込み部２ａを含む樹脂製のフレーム２と、金属薄板からなる上下シェル３、４とによって構成された、幅５０ｍｍ、奥行き５５ｍｍ、厚さ１．９５ｍｍの扁平なハウジング内に、直径約１．８インチ（４６．５ｍｍ）の磁気ディスクである情報記録媒体５を回転自在に収容している。また、下シェル４の中心部には情報記録媒体５の中心に設けられたセンタコア１０を外部に臨ませるための中心孔４ａが形成されている。
【００２２】
上シェル３および下シェル４には、このカートリッジ１が挿入態様で装填されるディスクドライブが備えている磁気ヘッドを情報記録媒体５の表面にアクセスさせるためのＶ字状の開口部６が形成されており、上下シェル３、４内には開口部６を開閉するロータリーシャッタ７が設けられている。
【００２３】
ロータリシャッタ７は略円盤状に形成されており、ハウジングに形成された開口部６と略同一形状の開口７ａを有する。また、ロータリシャッタ７には下シェル４側に突出したシャッタノブ７ｂが設けられており、下シェル４にはシャッタノブ７ｂが挿入されるロータリーシャッタ７と同心的な円弧状溝４ｂとが形成されている。そして、図１に示すようにロータリシャッタ７が開口部６を閉じた状態においてシャッタノブ７ｂが円弧状溝４ｂに沿って移動したとき、図２に示すように、開口７ａがハウジングの開口部６の部位に位置し情報記録媒体５が露出するようになっている。
【００２４】
図３は図１および図２のディスクカートリッジ１の断面図である。図３において、ロータリーシャッタ７は、上シャッタ部材７Ｕと下シャッタ部材７Ｄとからなっている。上下のシャッタ部材７Ｕ、７Ｄと情報記録媒体５との間には、情報記録媒体５に付着した汚れを払拭するためのライナー１３がそれぞれ介挿されている。
【００２５】
上シャッタ部材７Ｕと下シャッタ部材７Ｄとは、側壁７Ｃにおいてたとえばレーザ溶接や接着剤等により接合されている。したがって、上シャッタ部材７Ｕと下シャッタ部材７Ｄとは一体成形された状態になっており、下シャッタ部材７Ｄのシャッタノブ７ｂ（図１、図２参照）に力が加わると、下シャッタ部材７Ｄのみならず上シャッタ部材７Ｕにも回転する力が加わることになる。
【００２６】
ここで、上シャッタ部材７Ｕは、上シェル３に設けられた回転保持部２０により回転可能に保持されている。この回転保持部２０は、上シェル３から上シャッタ部材７Ｕ側に突出した円筒体３ａと、円筒体３ａの先端部に設けられたセンタピンと呼ばれる抜止め部材１１とを有する。そして、上シャッタ部材７Ｕに形成された穴が円筒体３ａに挿入された状態で、上シャッタ部材７Ｕの抜出しを防止するため抜け止め部材１１が円筒体３ａの先端部にたとえば溶接等により固定される。
【００２７】
よって、上シャッタ部材７Ｕは、抜け止め部材１１により保持された状態になっており、上シャッタ部材７Ｕが回転移動する際には、上シャッタ部材７Ｕの穴が円筒体３ａの外周面にガイドされながら回転移動するようになっている。さらに、上シャッタ部材７Ｕは下シャッタ部材７Ｄと接合されているため、上シャッタ部材７Ｕが円筒体３ａにガイドされながら回転すれば、下シャッタ部材７Ｄも円筒体３ａにガイドされながら一体的に回転することになる。よって、下シャッタ部材７Ｄを回転可能に保持する回転保持構造が不要となり、ロータリシャッタ７を回転移動する際の摺動抵抗源となっていた下シャッタ部材７Ｄのカシメ加工をなくして、スムーズなロータリシャッタ７の移動を実現することができる。
【００２８】
つまり、図４に示す従来のディスクカートリッジのように、上シャッタ部材７Ｕと下シャッタ部材７Ｄとが接合されずに係合されているため、下シャッタ部材と下シェル４とがカシメ加工されている。よって、下シャッタ部材７Ｄが下シェル４に対して回転移動するときにカシメ部分において摺動抵抗が発生するとともに摺動による摩耗粉が発生する。特に、摩耗粉は下シャッタ部材７Ｄの回転移動の際の抵抗となって下シャッタ部材７Ｄの回転移動が重くするとともに、摩耗粉が中心孔からハウジング内に入り込むと、摩耗粉が情報記録媒体５に付着して情報の記録・再生の妨げとなってしまう。特に、情報記録媒体５の大容量化・高密度記録化を図る際には微小な摩耗粉であっても記録再生の妨げとなってしまう。
【００２９】
一方、図３に示すディスクカートリッジ１においては、上シャッタ部材７Ｕと下シャッタ部材７Ｄとを接合させ、上シェル側にのみ上シャッタ部材７Ｕを保持する回転保持部２０を設けることにより、下シェル４と下シャッタ部材７Ｄとの間にカシメ加工が不要であるため、下シェル４と下シャッタ部材７Ｄとが摺動することによる摩耗粉の発生を防止することができ、ロータリシャッタ７の回転移動が重くなるのを防止することができる。また、上シェル３側に回転保持部２０を設けることにより、下シェル４側にのみ回転保持部２０を設けた場合には下シェル４に形成された中心孔４ａから摩耗粉がハウジング内に入り込み、情報記録媒体５の表面に付着するおそれがあるが、上シェル３側にのみ回転保持部２０を設けた場合には摩耗粉がハウジング内に入り込むことがなく、磁気ディスクの大容量化・高密度記録化を図るのに適している。
【００３０】
さらに、下シャッタ部材７Ｄの中心部には下シェル４の中心孔４ａの周縁に挿入される円筒部７Ｄａが設けられている。そして、下シャッタ部材７Ｄが回転移動する際には、円筒部７Ｄａにより下シャッタ部材７Ｄが中心孔４ａにガイドされながら回転することになる。これにより、ロータリシャッタ７は、上シェル３および下シェル４にガイドしながら回転移動することになるため、ロータリシャッタ７が回転移動する際の軸方向（垂直方向）のぶれを低減することができる。
【００３１】
上記実施の形態によれば、ロータリシャッタ７が上シャッタ部材７Ｕと下シャッタ部材７Ｄとを接合してなり、ロータリシャッタ７は上シェル３の回転保持部２０により回転可能に保持されることになるため、従来のように下シャッタ部材７Ｄと下シェル４とをカシメ加工した構造が不要となり、ロータリシャッタ７を開閉する際のカシメ部における摺動抵抗を小さくして、開閉動作をスムーズに行うことができる。
【００３２】
また、上述のように、下シャッタ部材７Ｄと下シェル４との間においてカシメ部分が不要となるため、カシメ部分において摺動することにより発生していた摩耗粉が発生しなくなり、情報記録媒体に摩耗粉が付着するのを防止することができる。
【００３３】
本発明の実施の形態は、上記実施の形態に限定されない。たとえば、上記実施の形態において、上下シェル３、４およびロータリシャッタ７は金属製の材料からなる場合について例示しているが、たとえばプラスチック等の材料からなるものであってもよい。
【００３４】
また、図３において、上シェル３の円筒体３ａは、バーリング加工または絞り加工によって形成するようにしているが、上シェル３とは別個に作成した円筒体３ａを上シェル３に溶接にするようにしてもよい。溶接の場合、上シェル３にバーリング加工で生じる孔がないため、上シェル３の剛性をさらに高めることができる。
【図面の簡単な説明】
【図１】本発明のディスクカートリッジの好ましい実施の形態におけるロータリーシャッタが閉状態にある状態を示す平面図および底面図
【図２】本発明のディスクカートリッジの好ましい実施の形態におけるロータリーシャッタが開状態にある状態を示す平面図および底面図
【図３】図３のディスクカートリッジにおける上下シェルとロータリシャッタの取り付け構造の実施の形態を示す模式図
【図４】従来のディスクカートリッジの一例を示す模式図
【符号の説明】
１      ディスクカートリッジ
３      上シェル
４      下シェル
４ａ    中心孔
５      情報記録媒体
６      開口部
７      ロータリシャッタ
７Ｕ    上シャッタ部材
７Ｄ    下シャッタ部材
７Ｃ    側壁
７Ｄａ  円筒部
１０    センタコア
１２    カシメ部
２０    回転保持部
【図１】
2004273034.tif 000003
【図２】
2004273034.tif 000004
【図３】
2004273034.tif 000005
【図４】
2004273034.tif 000006